(57)【特許請求の範囲】
【請求項１】
ケース本体部と、該ケース本体部を開閉する蓋部と、上記ケース本体部と上記蓋部との間にヒンジ部を介して介在された背面部と、が一体に形成されていて、
上記ケース本体部又は上記蓋部の一方には、上記ケース本体部に対して上記蓋部を閉じた状態にすると、上記ケース本体部又は上記蓋部の他方に挿入されて上記ケース本体部又は上記蓋部の他方の側壁の内側面と重なり合う閉止部材が開閉端側の両側部に設けられ、
上記ケース本体部又は上記蓋部の他方の側壁の内側面には上記閉止部材に設けた係合突起が係合する閉止部材係合部が設けられ、
上記閉止部材は、上記ケース本体部又は上記蓋部の一方の上記開閉端側の側壁に沿う方向に倒れ防止用補強リブ部を有していることを特徴とする収納ケース。
【請求項２】
請求項１において、
上記閉止部材は、上記ケース本体部又は蓋部の他方の上記開閉端側の側壁の内側面に重なり合う面と、上記ケース本体部又は上記蓋部の他方の左右の側壁の内側面に重なり合う面を備えていることを特徴とする収納ケース。
【請求項３】
請求項１において、
被収納物の一側面と他側面は、上記ケース本体部及び上記蓋部の底面板上に立設された対状のリブで挟着されて上記底面板上に保持されることを特徴とする収納ケース。
【発明の詳細な説明】
【０００１】
【産業上の利用分野】
この発明は、フロッピーディスク等の薄板状の被収納物を複数枚収納して、持ち運ぶのに便利な収納ケースに関し、特に、容易かつ確実に蓋をすることができるようにしたものである。
【０００２】
【従来の技術】
複数枚のフロッピーディスクを収納して持ち運ぶ場合などに使用する収納ケースとして図６に示すようなものが開発されている。
【０００３】
この収納ケース１０１は、下蓋としてのケース本体部１０２と、該ケース本体部１０２の一側部に薄肉のヒンジ部１０３を介して連設された背面部１０４と、該背面部１０４の他側部に薄肉のヒンジ部１０５を介して連設された上蓋としての蓋部１０６とを備えている。
【０００４】
上記ケース本体部１０２には蓋をした状態に維持するための閉止部材（ロック部材）１０７が設けられていると共に、蓋部１０６には閉止部材係合部１０８が設けられている。
【０００５】
上記閉止部材１０７はケース本体部１０２の開閉端側（ヒンジ部１０３，１０５と反対側の自由端側）の側壁１０９の中央部に、該側壁１０９と略平行（ヒンジ部１０３，１０５と略平行）に設けられている。
【０００６】
また、上記閉止部材係合部１０８は蓋部１０６の開閉端側（自由端側）の側壁１１０の中央部に、該側壁１１０と略平行に設けられている。
【０００７】
そして、上記ケース本体部１０２に蓋部１０６を重ね合わせた状態にすると、上記閉止部材１０７が閉止部材係合部１０８に係合して、収納ケース１０１は所謂蓋をした状態に維持されるようになっている。
【０００８】
なお、１１１，１１２はケース本体部１０２又は蓋部１０６の内面上に立設されたフロッピーディスク挟着用のリブであり、これらリブ１１１，１１２の間でフロッピーディスクＦＤは挟着されて保持されるようになっている。
【０００９】
【発明が解決しようとする課題】
ところで、上記従来の収納ケース１０１は上述したように、閉止部材１０７と閉止部材係合部１０８は、ケース本体部１０２と蓋部１０６の開閉端側の側壁１０９，１１０の中央部に、これら側壁１０９，１１０と略平行（ヒンジ部１０３，１０５に対して略平行）に設けられていたために次に述べるような問題点があった。
【００１０】
（１）上記閉止部材１０７と閉止部材係合部１０８により、収納ケース１０１の開閉端側の中央部は確実にロックされるが両側部はロックされず、このため両側部が開いて、該部から被収納物が飛び出してしまう場合がある。
【００１１】
（２）ケース本体部１０２に対して蓋部１０６がヒンジ部１０３，１０５の長さ方向に揺動すると、閉止部材１０７と閉止部材係合部１０８の係合が外れて、所謂蓋が開いた状態になってしまうことがある。
【００１２】
この発明は上記従来の問題点を解決し、開閉端側の両側部を確実に閉じた状態に維持し、かつ蓋部がヒンジ部の長さ方向に揺動しても閉止部材と閉止部材係合部の係合が容易に外れることのない収納ケースを提供することを目的としてなされたものである。
【００１３】
【課題を解決するための手段】
請求項１の発明は、ケース本体部と、該ケース本体部を開閉する蓋部と、上記ケース本体部と上記蓋部との間にヒンジ部を介して介在された背面部と、が一体に形成されていて、
上記ケース本体部又は上記蓋部の一方には、上記ケース本体部に対して上記蓋部を閉じた状態にすると、上記ケース本体部又は上記蓋部の他方に挿入されて上記ケース本体部又は上記蓋部の他方の側壁の内側面と重なり合う閉止部材が開閉端側の両側部に設けられ、
上記ケース本体部又は上記蓋部の他方の側壁の内側面には上記閉止部材に設けた係合突起が係合する閉止部材係合部が設けられ、
上記閉止部材は、上記ケース本体部又は上記蓋部の一方の上記開閉端側の側壁に沿う方向に倒れ防止用補強リブ部を有している。
【００１４】
請求項２の発明は、請求項１の収納ケースにおいて、上記閉止部材は、上記ケース本体部又は蓋部の他方の上記開閉端側の側壁の内側面に重なり合う面と、上記ケース本体部又は上記蓋部の他方の左右の側壁の内側面に重なり合う面を備えている。
【００１５】
請求項３の発明は、請求項１の収納ケースにおいて、被収納物の一側面と他側面は、上記ケース本体部及び上記蓋部の底面板上に立設された対状のリブで挟着されて上記底面板上に保持される。
【００１６】
【作用】
請求項１の収納ケースにあっては、上記ケース本体部に対して上記蓋部を閉じた状態にすると、上記閉止部材が他方に挿入されて、上記閉止部材に設けた係合突起が他方の内側面に設けた閉止部材係合部に係合して、これらケース本体部と蓋部の開閉端側の両側部はロックされた状態になる。
【００１７】
請求項２の収納ケースにあっては、蓋部を閉じた状態にすると上記閉止部材は、上記ケース本体部又は蓋部の他方の上記開閉端側の側壁の内側面及び左右の側壁の内側面に重なる。
【００１８】
請求項３の収納ケースにあっては、ケース本体部及び上記蓋部の底面板上に立設した対状のリブで被収納物を挟着する。
【００１９】
【実施例】
次に、この発明を図１〜図５を参照して説明する。
【００２０】
図１において、１は収納ケースである。
【００２１】
上記収納ケース１は、下蓋としてのケース本体部２と、該ケース本体部２を開閉する上蓋としての蓋部３と、上記ケース本体部２と蓋部３との間に介在されていて、ケース本体部２に対して蓋部３を開閉可能にヒンジ部４，５で結合している背面部６と、上記ケース本体部２又は蓋部３のいずれか一方、実施例の場合はケース本体部２に設けられていて、ケース本体部２に対して蓋部３と閉じた状態にすると、他方、実施例の場合は蓋部３内に侵入し、その内側面に設けた第１〜第３の閉止部材係合部１４〜１６に係合して、ケース本体部２と蓋部３を閉じた状態に維持する第１〜第３の閉止部材（ロック部材）１１〜１３を有している。
【００２２】
上記ケース本体部２は、被収納物としてのフロッピーディスクＦＤの大きさに見合う大きさの四角形状に形成された底面板２１と、該底面板２１の内面の開閉端側に立設された開閉端側の側壁２２と、該開閉端側の側壁２２を挟むようにして上記底面板２１の内面の左右両側に立設された左右の側壁２３，２４とからなっていて、これら側壁２２〜２４内に被収納物としてのフロッピーディスクＦＤを収納できるようになっている。
【００２３】
そして、上記側壁２２〜２４内にフロッピーディスクＦＤを収納すると、該フロッピーディスクＦＤの一側面と他側面は、上記底面板２１上に立設された対状のリブ２５，２６で挟着されて、底面板２１上に保持されるようになっている。
【００２４】
蓋部３は、上記ケース本体部２と同様に、被収納物としてのフロッピーディスクＦＤの大きさに見合う大きさの四角形状に形成された底面板３１と、該底面板３１の内面の開閉端側に立設された開閉端側の側壁３２と、該開閉端側の側壁３２を挟むようにして上記底面板３１の内面の左右両側に立設された左右の側壁３３，３４とからなっていて、これら側壁３２〜３４内に被収納物としてのフロッピーディスクＦＤを収納できるようになっている。
【００２５】
そして、上記側壁３２〜３４内にフロッピーディスクＦＤを収納すると、該フロッピーディスクＦＤの一側面と他側面は、上記底面板３１上に立設された対状のリブ３５，３６で挟着されて、底面板３１上に保持されるようになっている。
【００２６】
また、背面部６は薄肉のヒンジ部４，５を介して、上記ケース本体部２と蓋部３の間に介在されている。
【００２７】
上記背面部６の内面には、フロッピーディスクＦＤを挟着支持する一対のフロッピーディスク挟着用の突条３７，３８が設けられている。
【００２８】
そして、上記ケース本体部２と蓋部３および背面部６に、それぞれフロッピーディスクＦＤを収納して、ケース本体部２と蓋部３を閉じると、これらケース本体部２の側壁２２〜２３と蓋部３の側壁３２〜３４の先端面が重なり合って、ケース本体部２と蓋部３は密閉された状態になると共に、上記第１〜第３の閉止部材１１〜１３が閉止部材係合部１４〜１６に係合して、ケース本体部２と蓋部３は閉じられた状態に維持されるようになっている。
【００２９】
上記第１の閉止部材１１は、ケース本体部２の開閉端側の側壁２２の内面の中央部に所定の幅の舌片１１ａを突設すると共に、該舌片１１ａの先端に係合突起１１ｂを設けることにより形成されている。
【００３０】
また、上記第１の閉止部材係合部１４は、蓋部３の開閉端側の側壁３２の中央部に上記舌片１１ａよりもやや広目の幅の切欠部１４ａを設けると共に、該切欠部１４ａの内面に被係合突起１４ｂを設けることにより形成されている。
【００３１】
そして、上記ケース本体部２と蓋部３を重ね合わせた状態にすると、上記舌片１１ａが切欠部１４ａ嵌まり込んで、係合突起１１ｂと被係合突起１４ｂが互いに係合して、ケース本体部２と蓋部３の中央部をロックした状態に維持するようになっている。
【００３２】
また、第２，第３の閉止部材１２，１３は、ケース本体部２の開閉端側の側壁２２の両側部、つまり左右の側壁２３，２４とのコーナー部の内面に、それぞれ舌片１２ａ，１３ａを突設し、これら舌片１２ａ，１３ａの側壁２３，２４側の側面の先端に係合突起１２ｂ，１３ｂを設けることにより形成されている。
【００３３】
また、上記舌片１２ａ，１３ａの一端部には、上記開閉端側の側壁２２に沿う方向に閉止部材の倒れ防止用補強リブ部１２ｃ，１３ｃが設けられている。
【００３４】
上記第２，第３の閉止部材係合部１５，１６は蓋部３の左右の側壁３３，３４の開閉端側の側壁３２側の端部に被係合突起を設けることにより形成されている。
【００３５】
そして、上記ケース本体部２と蓋部３を重ね合わせた状態にすると、第２，第３の閉止部材係合部１５，１６で第２、第３の閉止部材１２，１３を挟むようにして、上記係合突起１２ｂ，１３ｂと、被係合突起としての閉止部材係合部１５，１６が、それぞれ係合して、ケース本体部２と蓋部３の左右の両側部をロックする。
【００３６】
従って、図５に示したように、蓋部３がＡ方向（ヒンジ部４，５の長さ方向）へ揺動しようとすると、第２の閉止部材１２が第２の閉止部材係合部１５に当接し、Ｂ方向への揺動を阻止される。
【００３７】
また、蓋部３がＡ方向へ揺動しようとすると、第３の閉止部材１３が第３の閉止部材係合部１６に当接し、Ａ方向への揺動を阻止される。
【００３８】
また、上記倒れ防止用補強リブ部１２ｃ，１３ｃも舌片１２ａ，１３ａのヒンジ部４，５の長さ方向への倒れを防止し、第２，第３の閉止部材１２，１３と閉止部材係合部１５，１６のロック状態を確実に維持するようになっている。
【００３９】
なお、上記ケース本体部２に設けられた対状のリブ２５，２６は、側壁２３，２４側にそれぞれ一対づつ合計２対、形成されている。
【００４０】
一方のリブ２５は、図１に示したように、ヒンジ部４の近傍に、該ヒンジ部４と略平行に設けられた起立壁２５ａと、該起立壁２５ａの一側面（リブ２６と対向する面）の中央部に設けられた被収納物挟着用の凸部２５ｂとからなっている。
【００４１】
また、他方のリブ２６は、開閉端側の側壁２２の近傍に、該側壁２２と略平行に設けられた起立壁２６ａと、該起立壁２６ａの一側面（リブ２５と対向する面）の上部に他方のリブ２５側に突出させた状態で設けられていて、被収納物としてのフロッピーディスクＦＤの上面を抑える被収納物上面抑え用の凸部２６ｂとからなっている。
【００４２】
そして、上記一方のリブ２５，２５と他方のリブ２６，２６の間に被収納物としてのフロッピーディスクＦＤを挿入すると、該フロッピーディスクＦＤは、その一側面と他側面をこれらリブ２５，２５と２６，２６の間で挟まれると共に、一方のリブ２６の上部に設けた被収納物上面抑え用の凸部２６ｂでその上面を抑えられるようになっている。
【００４３】
蓋部３の一方のリブ３５も上記ケース本体部２の一方のリブ２５と同様に、起立壁３５ａと、該起立壁３５ａのリブ３６側の面の中央部に縦方向に形成された被収納物挟着用の凸部３５ｂとからなっている。
【００４４】
また、他方のリブ３６の起立壁３６ａの上部には被収納物上面に抑え用の凸部３６ｂが形成されていて、該被収納物上面抑え用の凸部３６ｂで被収納物としてのフロッピーディスクＦＤの上面を抑えるようになっている。
【００４５】
なお、上記収納ケース１はポリエチレンやポリスチレン等のプラスチックで一体に形成されている。
【００４６】
実施例の収納ケース１は以上のような構成であるから、ケース本体部２と蓋部３の対状のリブ２５，２６および３５，３６の間に、それぞれ被収納物としてのフロッピーディスクＦＤを圧挿入すれば、上述したように、フロッピーディスクＦＤの一側面と他側面は上記対状のリブ２５，２６および３５，３６で挟着されると共に、上記一方のリブ２５，３６起立壁２６ｂ，３６ｂの上部に設けた被収納物上面抑え用の凸部２６ｃ，３６ｃにより上面を抑えられて、フロッピーディスクＦＤはケース本体部２と蓋部３の内面側にそれぞれしっかりと収納された状態になる。
【００４７】
また、背面部６の内面に設けた一対のフロッピーディスク挟着用の突条３７，３８の間にもフロッピーディスクＦＤを挟着する。
【００４８】
上述のようにして、ケース本体部２と蓋部３および背面部６にそれぞれフロッピーディスクＦＤを収納したのち、ケース本体部２に対して蓋部３を閉じた状態にすると、これらケース本体部２と蓋部３に設けた第１〜第３の閉止部材１１〜１３と閉止部材係合部１４〜１６が互いに係合して、収納ケース１は密閉した状態に維持されるのである。
【００４９】
【発明の効果】
この発明の収納ケースには次に述べるような効果がある。
【００５０】
（１）請求項１の収納ケースにあっては、上記閉止部材と閉止部材係合部によりケース本体部と蓋部３の開閉端側の両側部はしっかりと密閉され、両側部から被収納物が飛び出したりするのを確実に防止することができる。特に、ヒンジ部の長さ方向への揺動力が加わった場合でも、上記倒れ防止用補強リブ部によって、上記閉止部材の倒れを防止することができる。
【００５１】
（２）請求項２の収納ケースにあっては、蓋部を閉じた状態において蓋部のヒンジ部の長さ方向への揺動は、上記ケース本体部又は蓋部の他方の左右の側壁の内側面で阻止され、ヒンジ部の長さ方向と直交する方向への揺動は、上記ケース本体部又は蓋部の他方の上記開閉端側の側壁の内側面で阻止される。
【００５２】
（３）請求項３の収納ケースにあっては、ケース本体部及び蓋部の底面板上に被収納物を対状のリブで挟着して保持することができる。
【００５３】
【図面の簡単な説明】
【図１】斜視図。
【図２】展開図。
【図３】要部の拡大斜視図。
【図４】第３の閉止部材の拡大斜視図。
【図５】ロック状態の要部の断面図。
【図６】従来例の斜視図。
【符号の説明】
１…収納ケース
２…ケース本体部
３…蓋部
４，５…ヒンジ部
６…背面部
１１〜１３…第１〜第３の閉止部材（ロック部材）
１１ｂ〜１３ｂ…係合突起
１４〜１６…第１〜第３の閉止部材係合部
１２ｃ，１３ｃ…倒れ防止用補強リブ部
【図１】
0003553098.tif 000002
【図２】
0003553098.tif 000003
【図３】
0003553098.tif 000004
【図４】
0003553098.tif 000005
【図５】
0003553098.tif 000006
【図６】
0003553098.tif 000007